(57)【特許請求の範囲】
【請求項１】
本体内部に接触部を有する電気・機械器具の異常診断方法において、
前記接触部の各部の表面温度を赤外線検出器により測定し、
電気・機械器具の各部の接触部について予め定めた許容温度値をテーブル表として準備し、
測定された各部の温度と前記テーブル表からの許容温度に基づいて過熱の有無を判定し、かつ
過熱有りとの判定をしたときに、判定されたその接触部についてＸ線を照射して得られたＸ線データに基づいてその接触部の内部状態を把握すること
を特徴とする電気・機械器具の接触部の異常診断方法。
【請求項２】
請求項１において、
△ＴN＝（各部の温度−周囲空気温度）値
△ＴAL＝異常値
としたときに、許容温度値を
【数１】
0003688902.tif 000005
として設定して、Ｘ線要点検温度値とすることを特徴とする電気・機械器具の接触部の異常診断方法。
【請求項３】
本体内部に接触部を有する電気・機械器具の異常診断装置において、
前記接触部の各部の表面温度を測定する赤外線検出器と、
電気・機械器具の各部の接触部について予め定めた許容温度値を記憶する記憶部と測定された各部の温度を入力し、該入力値と前記許容温度値からＸ線点検要否を判定する判定部とを有する演算機と、
Ｘ線点検要との判定があったときに、判定されたその接触部についてＸ線を照射し、Ｘ線データを得るＸ線装置と、かつ
Ｘ線データに基づいて画像処理を行って画像表示する画像表示装置とを含んで構成されること
を特徴とする電気・機械器具の接触部の異常診断装置。
【発明の詳細な説明】
【０００１】
【発明の属する技術分野】
本発明は、電気・機械器具の接触部の異常診断方法および診断装置、特にＸ線を使用した異常診断方法および診断装置に関する。
【０００２】
【従来の技術】
特開昭５６−３０６３９号公報には、移動可能な赤外線カメラユニットを用いることによって原子炉配管の異常箇所を検出することが記載されている。
【０００３】
特開昭５６−１３８２４３号公報には、検出装置で検出した画像パターンから正常状態の温度パターンとして記憶させておき、点検時の温度分布パターンをこれと比較して差異があれば、その場所を表示させることにより、プラントの早期点検・診断を可能にすることが記載されている。
【０００４】
特開平８−８３５４４号「気中断路器接触部の過熱診断方法およびその装置」には、気中断路器接触部２の温度Ｔを赤外線検出器３により測定し、風速ｖと日射量Ｗとによる温度補正を加えて補正測定温度ＴSとする。この補正測定温度ＴSを測定対象部分の通電電流Ｉから算出される基準温度上昇値△ＴAと演算器４で比較し、過熱の有無を診断する。または気中断路器接触部２の３相の温度ＴU，ＴV，ＴWを測定し、最大値と最小値との差から同様に過熱の有無を診断することが記載されている。
【０００５】
【発明が解決しようとする課題】
赤外線検出器を用いて電気・機械器具の本体内部に設けた接触部表面の異常過熱を検出することは知られている。
【０００６】
ガス遮断機、断路器のような複雑構造をした電機器具の接触部に使用される接触子の異常を検出し、その状態を画像として表示したい場合がある。接触子の消耗量やきずは接触部の表面温度の異常過熱状態の把握のみでは正確な状態を把握することはできない。
【０００７】
また、これらの器具にあっては早急な点検を要求されるのが常である。
【０００８】
本発明はかかる点に鑑みてなされたもので、接触部の表面の異常過熱ばかりでなく、接触内部の接触子の異常状態を迅速に画面表示することのできる電気・機械器具の接触部の異常診断方法および異常診断装置を提供することを目的とする。
【０００９】
【課題を解決するための手段】
本発明は、電気・機械器具の接触部の表面温度を赤外線カメラで監視し、表面温度が予め用意したテーブル表の数値よりも大きくなった場合は、その部分をＸ線装置によってＸ線照射し、得られたＸ線データから接触部の内部状態を把握することを特徴とする。
【００１０】
このようにすることによって、特に複雑形状をなす電気・機械器具の接触部のすべても網羅的にＸ線照射することなく、ある接触部の異常状態を把握することができることになる。
【００１１】
この場合に、特開平８−８３５４４号公報に記載されるように、接触部の温度Ｔを赤外線検出器により測定し、風速と日射量Ｗとによ温度補正を加えて補正・測定温度ＴSを設定してもよい。
【００１２】
本発明は、次に掲げる方法および装置を提供する。
【００１３】
本発明は、本体内部に接触部を有する電気・機械器具の異常診断方法において、前記接触部の各部の表面温度を赤外線検出器により測定し、電気・機械器具の各部の接触部について予め定めた許容温度値をテーブル表として準備し、測定された各部の温度と前記テーブル表からの許容温度に基づいて過熱の有無を判定し、かつ過熱有りとの判定をしたときに、判定されたその接触部についてＸ線を照射して得られたＸ線データに基づいてその接触部の内部状態を把握する電気・機械器具の接触部の異常診断方法を提供する。
【００１４】
好ましくは、△ＴN＝（各部の温度−周囲空気温度）値、△ＴAL＝異常値としたときに、許容温度値を
【００１５】
【数１】
0003688902.tif 000002
【００１６】
として設定して、Ｘ線要点検温度値とすることができる。
【００１７】
本発明は、本体内部に接触部を有する電気・機械器具の異常診断装置において、前記接触部の各部の表面温度を測定する赤外線検出器と、電気・機械器具の各部の接触部について予め定めた許容温度値を記憶する記憶部と測定された各部の温度を入力し、該入力値と前記許容温度値からＸ線点検要否を判定する判定部とを有する演算機と、Ｘ線点検要との判定があったときに、判定されたその接触部についてＸ線を照射し、Ｘ線データを得るＸ線装置と、かつＸ線データに基づいて画像処理を行って画像表示する画像表示装置とを含んで構成される電気・機械器具の接触部の異常診断装置を提供する。
【００１８】
【発明の実施の形態】
以下、本発明にかかる１実施例を図面に基づいて説明する。
【００１９】
図１は、主接触部を有するガス絶縁開閉装置（ＧＩＳ）あるいは断路器(ＤＳ)の主要部を示す。図面には、タンク１１に配設された接触部（ａ），（ｂ），（ｃ）および外表面温度測定部（ｄ），（ｅ），（ｆ）が描かれている。（ｄ）部はタンク側面部であり、（ｅ）部はタンク上面部であり、そして（ｆ）部はタンク側面（裏面）部である。
【００２０】
タンク１１の近傍に赤外線カメラ１２を設置し、上述した接触部（ａ）,（ｂ），（ｃ）および外表面温度測定部（ｄ），（ｅ），（ｆ）を赤外線測定により温度測定を行う。これに加えて雰囲気温度の測定を大気中およびタンク内について行う。測定した実例を表１に示す。
【００２１】
【表１】
0003688902.tif 000003
【００２２】
各部および測定された結果はパソコン（パーソナルコンピュータ）１３に入力、記録される。
【００２３】
図２は、測定された温度分布を示す。その（イ）図は正常時温度分布を表し、その（ロ）図は異常時温度分布を表す。
【００２４】
図３は、機器各部についての△ＴN＝（各部温度−周囲空気温度）値、Ｘ線要点検温度値△ＴCおよび異常値△ＴALをテーブル表にして表したものである。
【００２５】
これらのデータは後述する演算機に入力、記録される。
【００２６】
このテーブル表においては、断路器ａ1，ａ2，ａ3部、遮断器ｂ1，ｂ2，ｂ3部についての設定した値を示す。
【００２７】
図４に示すように、接触部温度測定２１がなされ、その測定値はコンピュータ（演算機）２２の入力部２３に入力し、その値とテーブル表２４からのデータ値に基づいて演算部２５は演算し、判定部２６でＸ線点検要否を判定し、出力する。
【００２８】
Ｘ線要点検温度値△ＴCは次の式によって求められる。
【００２９】
【数１】
0003688902.tif 000004
【００３０】
図５は、タンク１１の近傍にＸ線発生器３１およびＸ線検出器３２をタンク１１を中央にして対峙して配置した状態を示す。コンピュータ２２でＸ線点検要と判定された各部についてＸ線照射がなされ、その接触部内部の状態を示すＸ線データがＸ線検出器３２に取得される。
【００３１】
Ｘ線データは、パソコン３３および画像表示器３４を備えた画像処理装置３５に入力される。入力値に基づいて画像処理がなされ、点検した内部が画像として表示される。これによって、接触子の消耗量やきずの有無の状態が把握される。画像処理装置３５は、隔離壁３６を置いて配設される。
【００３２】
【発明の効果】
本発明によれば、接触部の表面の異常過熱ばかりでなく、異常過熱を判定することによってＸ線点検数を減少した上で、接触部の内部に存在する接触子などの消耗量やきずなどの異常状態をＸ線データによって迅速に画面表示することができる。画面を見ることによって迅速に対策を取ることが可能なる。
【図面の簡単な説明】
【図１】本発明の実施例の実施上の一形態を示す図。
【図２】赤外線カメラによる測定により形成した温度分布図。
【図３】実施例で使用するテーブル表の内容を示す図。
【図４】実施例を示すブロック図。
【図５】実施例の実施上の他の形態を示す図。
【符号の説明】
１１…タンク、１２…赤外線カメラ、１３…パソコン、２１…接触部温度測定、２２…コンピュータ（演算部）、２３…入力部、２４…テーブル表、２５…演算部、２６…判定部、３１…Ｘ線発生器、３２…Ｘ線検出器、３５…画像処理装置。
【図１】
0003688902.tif 000006
【図２】
0003688902.tif 000007
【図３】
0003688902.tif 000008
【図４】
0003688902.tif 000009
【図５】
0003688902.tif 000010